(57)【特許請求の範囲】
【請求項１】
内部に貯蔵室を構成して成る本体の上面開口奥側が手前側よりも上方に位置しており、当該開口を引き戸式の扉にて開閉自在に閉塞してなるショーケースにおいて、
前記開口奥側に左右に渡って設けられ、前記扉の上端が移動自在に挿入される上縁レールと、
前記開口手前側に左右に渡って設けられ、前記扉の下端が移動自在に挿入される下縁レールと、
前記上縁レール内に設けられ、前記扉を開方向に移動させた際に当接するストッパーと、
前記扉が前記ストッパーに当接する以前に当該扉が当接する位置の前記上縁レール内に設けられた案内部材とを備え、
該案内部材は前記扉が当接する当接面を有し、該当接面は前記扉の開方向に進むに従って徐々に前記下縁レール方向に近接する傾斜面とされていることを特徴とするショーケース。
【請求項２】
内部に貯蔵室を構成して成る本体の上面開口奥側が手前側よりも上方に位置しており、当該開口を引き戸式の扉にて開閉自在に閉塞してなるショーケースにおいて、
前記開口奥側に左右に渡って設けられ、前記扉の上端が移動自在に挿入される上縁レールと、
前記開口手前側に左右に渡って設けられ、前記扉の下端が移動自在に挿入される下縁レールと、
前記上縁レール内に設けられた案内部材とを備え、
該案内部材は、前記扉を開方向に移動させた際に当接するストッパー部と、前記扉が前記ストッパー部に当接する以前に当該扉が当接する位置に構成された案内部とを備え、該案内部には前記扉が当接する当接面が形成され、該当接面は前記扉の開方向に進むに従って徐々に前記下縁レール方向に近接する傾斜面とされていることを特徴とするショーケース。
【請求項３】
前記案内部材は、前記上縁レールの内壁に密接することを特徴とする請求項１又は請求項２のショーケース。
【請求項４】
前記案内部材は、前記上縁レール内に左右に渡って取り付けられると共に、前記扉を閉方向に移動させたときの所定の位置で当該扉の取り外しを許容することを特徴とする請求項１、請求項２又は請求項３のショーケース。
【発明の詳細な説明】
【０００１】
【発明の属する技術分野】
本発明は、内部に貯蔵室を構成して成る本体の上面開口奥側が手前側よりも上方に位置しており、当該開口を引き戸式の扉にて開閉自在に閉塞してなるショーケースに関するものである。
【０００２】
【従来の技術】
従来よりアイスクリームなどを冷凍しながら陳列するショーケースは、内部にアイスクリームを貯蔵する貯蔵室を構成する本体の上面開口奥側が手前側よりも上方に位置しており、当該開口を引き戸式の透明扉にて開閉自在に閉塞している。
【０００３】
この場合、開口奥側には上縁レールが左右に渡って設けられると共に、開口手前側には下縁レールが左右に渡って設けられ、複数枚の透明扉の上端が上縁レール内に移動自在に挿入されると共に、下端が下縁レール内に移動自在に挿入される。これにより、各透明扉は左右方向にスライド移動自在とされ、開口を開閉自在に閉塞していた。
【０００４】
【発明が解決しようとする課題】
ところで、このような引き戸式の扉を備えたショーケースでは、扉が開放し切ったときに指を挟まないように上縁レール内にストッパーが取り付けられる。そして、扉は開方向に移動された際、開放仕切る前にこのストッパーに当接するものであった。一方、扉取付の関係上、上縁レールは通常奥行き寸法が深く、下縁レールは浅く構成され、扉はこれら両レール間に余裕を持って挿入される。そのため、勢い良く扉をスライドさせて開くと、ストッパーに当たった際に扉がレールに対して斜めとなり、その下端が下縁レールから外れて跳ね上がってしまう問題が発生していた。
【０００５】
本発明は、係る従来の技術課題を解決するために成されたものであり、引き戸式の扉の跳ね上がりを効果的に防止できるショーケースを簡単な構造で提供するものである。
【０００６】
【課題を解決するための手段】
請求項１の発明のショーケースは、内部に貯蔵室を構成して成る本体の上面開口奥側が手前側よりも上方に位置しており、当該開口を引き戸式の扉にて開閉自在に閉塞してなるものであって、前記開口奥側に左右に渡って設けられ、前記扉の上端が移動自在に挿入される上縁レールと、前記開口手前側に左右に渡って設けられ、前記扉の下端が移動自在に挿入される下縁レールと、前記上縁レール内に設けられ、前記扉を開方向に移動させた際に当接するストッパーと、前記扉が前記ストッパーに当接する以前に当該扉が当接する位置の前記上縁レール内に設けられた案内部材とを備え、該案内部材は前記扉が当接する当接面を有し、該当接面は前記扉の開方向に進むに従って徐々に前記下縁レール方向に近接する傾斜面とされていることを特徴とする。
【０００７】
請求項１の発明によれば、内部に貯蔵室を構成して成る本体の上面開口奥側が手前側よりも上方に位置しており、当該開口を引き戸式の扉にて開閉自在に閉塞してなるショーケースにおいて、前記開口奥側に左右に渡って設けられ、前記扉の上端が移動自在に挿入される上縁レールと、前記開口手前側に左右に渡って設けられ、前記扉の下端が移動自在に挿入される下縁レールと、前記上縁レール内に設けられ、前記扉を開方向に移動させた際に当接するストッパーと、前記扉が前記ストッパーに当接する以前に当該扉が当接する位置の前記上縁レール内に設けられた案内部材とを備え、該案内部材は前記扉が当接する当接面を有し、該当接面は前記扉の開方向に進むに従って徐々に前記下縁レール方向に近接する傾斜面とされているので、扉を開方向に移動させていくと、扉はストッパーに当接する以前に案内部材の当接面に当接し、その時点から当該当接面の傾斜に沿って徐々に下縁レール側に押し下げられるようになる。
【０００８】
これにより、扉を勢い良く開放させてストッパーに当接させても、扉の下端が下縁レールから外れて跳ね上がってしまう不都合を確実に防止することができるようになる。特に、構造も簡単であるのでコストの高騰も最小限に抑えられるものである。
【０００９】
請求項２の発明のショーケースは、内部に貯蔵室を構成して成る本体の上面開口奥側が手前側よりも上方に位置しており、当該開口を引き戸式の扉にて開閉自在に閉塞してなるものであって、前記開口奥側に左右に渡って設けられ、前記扉の上端が移動自在に挿入される上縁レールと、前記開口手前側に左右に渡って設けられ、前記扉の下端が移動自在に挿入される下縁レールと、前記上縁レール内に設けられた案内部材とを備え、該案内部材は、前記扉を開方向に移動させた際に当接するストッパー部と、前記扉が前記ストッパー部に当接する以前に当該扉が当接する位置に構成された案内部とを備え、該案内部には前記扉が当接する当接面が形成され、該当接面は前記扉の開方向に進むに従って徐々に前記下縁レール方向に近接する傾斜面とされていることを特徴とする。
【００１０】
請求項２の発明によれば、内部に貯蔵室を構成して成る本体の上面開口奥側が手前側よりも上方に位置しており、当該開口を引き戸式の扉にて開閉自在に閉塞してなるショーケースにおいて、前記開口奥側に左右に渡って設けられ、前記扉の上端が移動自在に挿入される上縁レールと、前記開口手前側に左右に渡って設けられ、前記扉の下端が移動自在に挿入される下縁レールと、前記上縁レール内に設けられた案内部材とを備え、該案内部材は、前記扉を開方向に移動させた際に当接するストッパー部と、前記扉が前記ストッパー部に当接する以前に当該扉が当接する位置に構成された案内部とを備え、該案内部には前記扉が当接する当接面が形成され、該当接面は前記扉の開方向に進むに従って徐々に前記下縁レール方向に近接する傾斜面とされているので、扉を開方向に移動させていくと、扉は案内部材のストッパー部に当接する以前に案内部の当接面に当接し、その時点から当該当接面の傾斜に沿って徐々に下縁レール側に押し下げられるようになる。
【００１１】
これにより、扉を勢い良く開放させて案内部材のストッパー部に当接させても、扉の下端が下縁レールから外れて跳ね上がってしまう不都合を確実に防止することができるようになる。特に、この場合には案内部材がストッパーの役割も兼ねるので、部品点数の増加も無くなり、コストの高騰も最小限に抑えられるものである。
【００１２】
請求項３の発明のショーケースは、上記各発明において前記案内部材は、前記上縁レールの内壁に密接することを特徴とする。
【００１３】
請求項３の発明によれば、上記各発明に加えて前記案内部材は、前記上縁レールの内壁に密接するので、上縁レールが撓んでしまう不都合も案内部材によって防止若しくは抑制することができるようになるものである。
【００１４】
請求項４の発明のショーケースは、上記各発明において前記案内部材は、前記上縁レール内に左右に渡って取り付けられると共に、前記扉を閉方向に移動させたときの所定の位置で当該扉の取り外しを許容することを特徴とする。
【００１５】
請求項４の発明によれば、上記各発明に加えて前記案内部材は、前記上縁レール内に左右に渡って取り付けられると共に、前記扉を閉方向に移動させたときの所定の位置で当該扉の取り外しを許容するので、扉は所定位置でのみ取り外し可能となり、不用意な扉の脱落或いは取り外しを防止することが可能となるものである。
【００１６】
【発明の実施の形態】
以下、図面に基づき本発明の実施形態を詳述する。図１は本発明のショーケース１の正面図、図２はショーケース１の縦断側面図、図３はショーケース１の上縁レール２部分の拡大縦断側面図、図４はショーケース１の下縁レール３部分の拡大縦断側面図、図５及び図６はショーケース１の上面図、図７〜図９は本発明の案内部材４の上面図、正面図及び側面図をそれぞれ示している。
【００１７】
実施例のショーケース１は例えばコンビニエンスストアなどの店舗においてアイスクリームを冷凍陳列するストッカーであり、上面に開口する断熱箱体６から本体７が構成され、この本体７内にアイスクリームを収納するための貯蔵室８が構成されている。この貯蔵室８内は図示しない冷却装置によって冷凍温度に冷却される。また、９はアイスクリームを収納するバスケットである。
【００１８】
断熱箱体６の奥側上縁には透明なガラス若しくは硬質樹脂材と鋼板フレームから構成された縦壁部材１１が立設されており、左右の上縁にはこれも透明なガラス若しくは硬質樹脂板から成る側壁部材１２、１２が立設されている。これにより、本体７の上面開口の奥側を構成する縦壁部材１１の上は、手前側の断熱箱体６の上縁よりも上方に位置することになり、そして、係る本体７の開口は４枚の引き戸式の扉１３・・・にて開閉自在に閉塞される。これら扉１３は透明ガラス板若しくは透明硬質樹脂板から成り、図２に示す如く側面から見て湾曲した形状を呈している。
【００１９】
図３において、断熱箱体６の奥側上縁に立設された縦壁部材１１の上端には前方に延在する蛍光灯取付板１６が取り付けられ、この蛍光灯取付板１６の下面には蛍光灯１７が取り付けられている。また、蛍光灯取付板１６の先端部上面には左右に渡るステンレス製の下レール部材１８が取り付けられ、この下レール部材１８の上側には間隔を存して左右に渡るステンレス製の上レール部材１９が取り付けられている。この上レール部材１９の上面には階段状の屈曲板２１が取り付けられており、この屈曲板２１の先端部と上レール部材１９の先端部は所定の間隔を存している。そして、この屈曲板２１の上側には天面板２２が取り付けられている。
【００２０】
このような構成により、下レール部材１８と上レール部材１９間に上縁下レール２４が、また、上レール部材１９と屈曲板２１間に上縁上レール２３がそれぞれ左右に渡って構成され、これら上縁上下レール２３、２４によって左右に渡る上縁レール２が構成されている。そして、中央側の２枚の扉１３、１３の上端は上縁上レール２３内左右方向移動自在に挿入係合され、左右の２枚の扉１３、１３の上端は上縁下レール２４内に左右方向移動自在に挿入係合される。
【００２１】
また、この上縁レール２の上縁上下レール２３、２４内には本発明の案内部材４がそれぞれ取り付けられる。この案内部材４は弾性を有する全体としては矩形状のゴムにて構成されており、図７〜図９に示すように前面には前記扉１３が当接する当接面４Ａを有し、後上縁部には切欠部４Ｂが構成されている。前記当接面４Ａは図８の向かって左から右に向けて徐々に前側に突出する傾斜面とされている。そして、この案内部材４の上下寸法は前記上縁上下レール２３、２４の上下寸法と同等か少許大きい値とされている。
【００２２】
この案内部材４は上縁上レール２３の左右端から少許内側（右端の左側及び左端の右側）に位置して取り付けられたストッパー２６の中央寄りの位置に接着剤にて固定される。この場合、右側の案内部材４の当接面４Ａは向かって右側が前方（後述する下縁レール３方向）に突出する向きに設けられ、左側の案内部材４の当接面４Ａは向かって左側が前方に突出する向きに設けられる。図５、図６は上縁上レール２３の右側の案内部材４を示している（図５、図６では天面板２２を撤去している）。
【００２３】
尚、２７は上縁上レール２３の左右方向の中央に設けられたストッパーである。更に、案内部材４は、上縁下レール２４の中央から少許左右側に位置した箇所に取り付けられた図示しないストッパーの外側にも設けられる。この場合、右側の案内部材４の当接面４Ａは向かって左側が前方（後述する下縁レール３方向）に突出する向きに設けられ、左側の案内部材４の当接面４Ａは向かって右側が前方に突出する向きに設けられる。
【００２４】
各案内部材４・・・の取付手順を説明する。先ず、下レール部材１８上奥に案内部材４を載せ、その上に上レール部材１９を載せて固定する。この場合、案内部材４は上下レール部材１８、１９間に略キッチリと圧入されるかたちとなる。次に、上レール部材１９上に案内部材４を載せ、その上に屈曲板２１を載せて固定する。この場合も案内部材４は上レール部材１９と屈曲板２１間に略キッチリと圧入されるかたちとなる。これにより、各案内部材４は上下レール部材１８、１９及び屈曲板２１に密接し、それらの撓み変形を防止して上縁上下レール２３、２４の間隔を確保する。そして、最後に天面板２２を屈曲板２１上に固定するものである。
【００２５】
次に、図４において３１は断熱箱体６（本体７）の手前側の開口縁（開口手前側）に左右に渡って取り付けられたステンレス製の屈曲レール部材であり、鈍角に屈曲された略Ｚ字状を呈している。そして、この屈曲レール部材３１上の前後に仕切レール板３２、３３が後斜め上方に向けて立設され、この屈曲レール部材３１上の仕切レール板３２の後側に左右に渡る下縁前レール３４が、仕切レール板３３の後側に左右に渡る下縁後レール３６が構成される。そして、これら下縁前後レール３４、３６によって左右に渡る下縁レール３が構成され、中央２枚の扉１３、１３の下端は下縁前レール３４に、左右２枚の扉１３、１３の下端は下縁後レール３６内にそれぞれ左右方向移動自在に挿入係合される。
【００２６】
尚、上縁レール２を構成する上縁上下レール２３、２４の奥行きは深く、下縁レール３を構成する下縁前後レール３４、３６は浅くなっており、各扉１３・・・を取り付ける際には、先ず、扉１３の上端を上縁上下レール２３、２４の奥部まで差し入れ、その下端を下縁前後レール３４、３６の後側に位置させた状態で、引き下げて下端をレール３４、３６内に挿入する。係る構成により、これら上下縁レール２、３間に扉１３・・・は左右方向移動（スライド）自在に取り付けられ、本体７の開放を開閉自在に閉塞するものである。
【００２７】
ここで、今中央の右側の扉１３を図５の状態から開方向である右方向に移動させていくと、扉１３の右端がストッパー２６に当接する以前に案内部材４に当接し、そして、最終的には側壁部材１２に当接する以前にストッパー２６に当たってそれ以上移動できなくなる。これによって、手指が側壁部材１２と扉１３間に挟まれることを防ぐ。
【００２８】
このとき、扉１３の上右角部が案内部材４の当接面４Ａに当接するが、当接面４Ａは右方に行くに従って徐々に前側、即ち、下縁レール３方向に近接するように突出する傾斜面を呈しているので、扉１３は係る傾斜に沿って徐々に下側に押し下げられるようになる。そして、最終的に扉１３はストッパー２６に当接して止まるが、そのとき扉１３は案内部材４の当接面４Ａに案内されて押し下げられ、扉１３の下端は下縁レール３の下縁前レール３４内奥部に位置するようになる。
【００２９】
これにより、万一扉１３を勢い良く開放させてストッパー２６に当接させても、それ以前に案内部材４の当接面４Ａによって扉１３は下側の下縁レール３側に押し下げられているので、扉１３の下端が下縁レール３から外れて跳ね上がってしまう不都合を確実に防止することができるようになる。この場合、案内部材４の構造は簡単であるので、コストの高騰も最小限に抑えられる。
【００３０】
尚、係る効果は上縁上レール２３及び下縁前レール３４に挿入された中央の左側の扉１３の場合にも同様に達成される。また、上縁下レール２４及び下縁後レール３６に挿入された左右の扉１３、１３についても、開方向（中央方向）に移動させた際に同様の効果を奏するものである。
【００３１】
また、図１０、図１１は本発明における案内部材４の他の実施例を示している。尚、この図において図１乃至図９と同一符号は同一若しくは同様の機能を奏するものとする。この場合、上縁上レール２３内に設けられた案内部材４は前述よりも左右に長い寸法を有し、ストッパー２６から略扉１３一枚分中央寄りの位置まで左右に渡って取り付けられている。そして、その前面には前述同様に当接面４Ａが構成されているが、左右に長い寸法であるのでその傾斜は緩慢とされている。
【００３２】
係る構成によっても前述同様に中央右側の扉１３を図１０の状態から図１１に示すように開方向に移動させていけば、ストッパー２６に当接する以前に案内部材４に当接し、そして、最終的には側壁部材１２に当接する以前にストッパー２６に当たってそれ以上移動できなくなる。これによって、手指が側壁部材１２と扉１３間に挟まれることを防ぐ。
【００３３】
このとき、扉１３の上右角部が案内部材４の当接面４Ａに当接するが、当接面４Ａは右方に行くに従って徐々に（前述よりも更に緩慢に）前側、即ち、下縁レール３方向に近接するように突出する傾斜面を呈しているので、扉１３は係る傾斜に沿って徐々に下側に押し下げられるようになる。そして、最終的に扉１３はストッパー２６に当接して止まるが、そのとき扉１３は案内部材４の当接面４Ａに案内されて押し下げられ、扉１３の下端は下縁レール３の下縁前レール３４内奥部に位置するようになる。
【００３４】
これにより、前述同様扉１３を勢い良く開放させてストッパー２６に当接させても、それ以前に案内部材４の当接面４Ａによって扉１３は下側の下縁レール３側に押し下げられているので、扉１３の下端が下縁レール３から外れて跳ね上がってしまう不都合を確実に防止することができるようになる。
【００３５】
特にこの場合には、案内部材４が存在する位置では扉１３は上側にずらすことができなくなるので、案内部材４が存在しない箇所かその先端部が位置する中央寄りの範囲、即ち、扉１３を閉じた位置か略閉じた位置（図１０の状態）でしか扉１３を取り外すことはできなくなる。これにより、不用意な扉１３の脱落、或いは、取り外しを防止することが可能となる。
【００３６】
尚、実施例では案内部材４とストッパー２６を別部材にて構成したが、これらを一体に構成し、ストッパー２６と同様の形状機能を有するストッパー部と、当接面４Ａと同様の傾斜した当接面を有して案内部材４と同様の機能を有する案内部とを一体に有した案内部材としてもよい。係る構成とすれば、部品手数の増加も無くなり、更なるコストの削減を図ることが可能となる。
【００３７】
【発明の効果】
以上詳述した如く請求項１の発明によれば、内部に貯蔵室を構成して成る本体の上面開口奥側が手前側よりも上方に位置しており、当該開口を引き戸式の扉にて開閉自在に閉塞してなるショーケースにおいて、前記開口奥側に左右に渡って設けられ、前記扉の上端が移動自在に挿入される上縁レールと、前記開口手前側に左右に渡って設けられ、前記扉の下端が移動自在に挿入される下縁レールと、前記上縁レール内に設けられ、前記扉を開方向に移動させた際に当接するストッパーと、前記扉が前記ストッパーに当接する以前に当該扉が当接する位置の前記上縁レール内に設けられた案内部材とを備え、該案内部材は前記扉が当接する当接面を有し、該当接面は前記扉の開方向に進むに従って徐々に前記下縁レール方向に近接する傾斜面とされているので、扉を開方向に移動させていくと、扉はストッパーに当接する以前に案内部材の当接面に当接し、その時点から当該当接面の傾斜に沿って徐々に下縁レール側に押し下げられるようになる。
【００３８】
これにより、扉を勢い良く開放させてストッパーに当接させても、扉の下端が下縁レールから外れて跳ね上がってしまう不都合を確実に防止することができるようになる。特に、構造も簡単であるのでコストの高騰も最小限に抑えられるものである。
【００３９】
請求項２の発明によれば、内部に貯蔵室を構成して成る本体の上面開口奥側が手前側よりも上方に位置しており、当該開口を引き戸式の扉にて開閉自在に閉塞してなるショーケースにおいて、前記開口奥側に左右に渡って設けられ、前記扉の上端が移動自在に挿入される上縁レールと、前記開口手前側に左右に渡って設けられ、前記扉の下端が移動自在に挿入される下縁レールと、前記上縁レール内に設けられた案内部材とを備え、該案内部材は、前記扉を開方向に移動させた際に当接するストッパー部と、前記扉が前記ストッパー部に当接する以前に当該扉が当接する位置に構成された案内部とを備え、該案内部には前記扉が当接する当接面が形成され、該当接面は前記扉の開方向に進むに従って徐々に前記下縁レール方向に近接する傾斜面とされているので、扉を開方向に移動させていくと、扉は案内部材のストッパー部に当接する以前に案内部の当接面に当接し、その時点から当該当接面の傾斜に沿って徐々に下縁レール側に押し下げられるようになる。
【００４０】
これにより、扉を勢い良く開放させて案内部材のストッパー部に当接させても、扉の下端が下縁レールから外れて跳ね上がってしまう不都合を確実に防止することができるようになる。特に、この場合には案内部材がストッパーの役割も兼ねるので、部品点数の増加も無くなり、コストの高騰も最小限に抑えられるものである。
【００４１】
請求項３の発明によれば、上記各発明に加えて前記案内部材は、前記上縁レールの内壁に密接するので、上縁レールが撓んでしまう不都合も案内部材によって防止若しくは抑制することができるようになるものである。
【００４２】
請求項４の発明によれば、上記各発明に加えて前記案内部材は、前記上縁レール内に左右に渡って取り付けられると共に、前記扉を閉方向に移動させたときの所定の位置で当該扉の取り外しを許容するので、扉は所定位置でのみ取り外し可能となり、不用意な扉の脱落或いは取り外しを防止することが可能となるものである。
【図面の簡単な説明】
【図１】本発明のショーケースの正面図である。
【図２】本発明のショーケースの縦断側面図である。
【図３】本発明のショーケースの上縁レール部分の拡大縦断側面図である。
【図４】本発明のショーケースの下縁レール部分の拡大縦断側面図である。
【図５】本発明のショーケースの上面図である。
【図６】本発明のショーケースのもう一つの上面図である。
【図７】本発明のショーケースの案内部材の上面図である。
【図８】図７の案内部材の正面図である。
【図９】図７の案内部材の側面図である。
【図１０】本発明の他の実施例のショーケースの上面図である。
【図１１】図１０のショーケースのもう一つの上面図である。
【符号の説明】
１  ショーケース
２  上縁レール
３  下縁レール
４  案内部材
４Ａ  当接面
７  本体
１３  扉
２６  ストッパー
【図１】
0004141108.tif 000002
【図２】
0004141108.tif 000003
【図３】
0004141108.tif 000004
【図４】
0004141108.tif 000005
【図５】
0004141108.tif 000006
【図６】
0004141108.tif 000007
【図７】
0004141108.tif 000008
【図８】
0004141108.tif 000009
【図９】
0004141108.tif 000010
【図１０】
0004141108.tif 000011
【図１１】
0004141108.tif 000012